(57)【要約】【課題】使用者の意図する操作を行うことができる、あるいは使用者の使い勝手を向上させることができる水栓装置を提供することを目的とする。【解決手段】操作体と、前記操作体に対する回転操作を検出する回転操作入力手段と、前記操作体に対する押し込み操作を検出する押し込み操作入力手段と、を有する可動操作部と、吐水の温度を調整する温度調整部と、吐水の流量を調整する流量調整部と、前記回転操作入力手段により検出された前記回転操作に基づいて前記温度調整部を制御し、前記押し込み操作入力手段により検出された前記押し込み操作に基づいて前記流量調整部を制御する制御部と、を備え、前記制御部は、前記回転操作入力手段により前記回転操作が検出されているときには、前記押し込み操作に基づく前記流量調整部の制御に補正を加えることを特徴とする水栓装置が提供される。【選択図】図２
2010203104.tif 000002
【特許請求の範囲】
【請求項１】
操作体と、前記操作体に対する回転操作を検出する回転操作入力手段と、前記操作体に対する押し込み操作を検出する押し込み操作入力手段と、を有する可動操作部と、
吐水の温度を調整する温度調整部と、
吐水の流量を調整する流量調整部と、
前記回転操作入力手段により検出された前記回転操作に基づいて前記温度調整部を制御し、前記押し込み操作入力手段により検出された前記押し込み操作に基づいて前記流量調整部を制御する制御部と、
を備え、
前記制御部は、前記回転操作入力手段により前記回転操作が検出されているときには、前記押し込み操作に基づく前記流量調整部の制御に補正を加えることを特徴とする水栓装置。
【請求項２】
前記制御部は、前記回転操作入力手段により前記回転操作が検出されているときには、前記押し込み操作入力手段により検出された前記押し込み操作に基づく流量の変化量を減少させるように前記補正を加えることを特徴とする請求項１記載の水栓装置。
【請求項３】
前記制御部は、前記回転操作入力手段により検出された前記回転操作の速度が増加するにつれて、前記押し込み操作入力手段により検出された前記押し込み操作に基づく流量の変化量がより小さくなるように前記補正を加えることを特徴とする請求項１または２に記載の水栓装置。
【請求項４】
前記制御部は、前記回転操作入力手段により検出された前記回転操作の方向に応じて、前記押し込み操作入力手段により検出された前記押し込み操作に基づく流量の変化量を減少させるための補正量を決定することを特徴とする請求項１〜３のいずれか１つに記載の水栓装置。
【請求項５】
操作体と、前記操作体に対する回転操作を検出する回転操作入力手段と、前記操作体に対する押し込み操作を検出する押し込み操作入力手段と、を有する可動操作部と、
吐水の温度を調整する温度調整部と、
吐水の流量を調整する流量調整部と、
前記回転操作入力手段により検出された前記回転操作に基づいて前記流量調整部を制御し、前記押し込み操作入力手段により検出された前記押し込み操作に基づいて前記温度調整部を制御する制御部と、
を備え、
前記制御部は、前記回転操作入力手段により前記回転操作が検出されているときには、前記押し込み操作に基づく前記温度調整部の制御に補正を加えることを特徴とする水栓装置。
【請求項６】
前記制御部は、前記回転操作入力手段により前記回転操作が検出されているときには、前記押し込み操作入力手段により検出された前記押し込み操作に基づく温度の変化量を減少させるように前記補正を加えることを特徴とする請求項５記載の水栓装置。
【請求項７】
前記制御部は、前記回転操作入力手段により検出された前記回転操作の速度が増加するにつれて、前記押し込み操作入力手段により検出された前記押し込み操作に基づく温度の変化量がより小さくなるように前記補正を加えることを特徴とする請求項５または６に記載の水栓装置。
【請求項８】
前記制御部は、前記回転操作入力手段により検出された前記回転操作の方向に応じて、前記押し込み操作入力手段により検出された前記押し込み操作に基づく温度の変化量を減少させるための補正量を決定することを特徴とする請求項５〜７のいずれか１つに記載の水栓装置。
【発明の詳細な説明】
【技術分野】
【０００１】
本発明の態様は、一般的に、水栓装置に関し、具体的には回転操作や押し込み操作などの複数の操作入力を行うことができる複合操作入力装置を用いた水栓装置に関する。
【背景技術】
【０００２】
例えば、キッチン、洗面室、浴室、トイレ室などには、種々の水栓装置が備えられている。そして、流調弁または温調弁を電気的に駆動させる回転式のダイヤル操作部またはスライド式に移動するスライド操作部を有し、それらの操作部の操作量に応じて流調弁や温調弁への入力信号を連続的に変化させることができる吐水器具がある（特許文献１）。これにより、特許文献１に記載された装置では、操作部の移動位置や回転位置に応じて、吐水される流量または温度の調整設定値を決定することができる。
【０００３】
これに対して、操作部を小型化させる要求や、ひとつの操作部に複数の入力機能を持たせる要求がある。そこで、回転操作や押し込み操作により、流量調整や温度調整を行うことができるいわゆる「シングルレバー」がある。また、「シングルレバー」を設けずに操作部をさらに小型化させることもできる。しかしながら、ひとつの操作部に複数の入力機能を持たせた場合には、例えば、回転操作により温度調整を行おうとしても、使用者は無意識に下向きに力を入れてしまい、意図せずに押し込み操作を行う場合がある。そうすると、例えば、使用者の意図しない流量調整や温度調整が行われ、吐水される流量や温度が変化する場合がある。つまり、使用者の意図しない操作が行われる場合がある。
【先行技術文献】
【特許文献】
【０００４】
【特許文献１】特開２００１−２０８２２９号公報
【発明の概要】
【発明が解決しようとする課題】
【０００５】
本発明は、かかる課題の認識に基づいてなされたものであり、使用者の意図する操作を行うことができる、あるいは使用者の使い勝手を向上させることができる水栓装置を提供することを目的とする。
【課題を解決するための手段】
【０００６】
第１の発明は、操作体と、前記操作体に対する回転操作を検出する回転操作入力手段と、前記操作体に対する押し込み操作を検出する押し込み操作入力手段と、を有する可動操作部と、吐水の温度を調整する温度調整部と、吐水の流量を調整する流量調整部と、前記回転操作入力手段により検出された前記回転操作に基づいて前記温度調整部を制御し、前記押し込み操作入力手段により検出された前記押し込み操作に基づいて前記流量調整部を制御する制御部と、を備え、前記制御部は、前記回転操作入力手段により前記回転操作が検出されているときには、前記押し込み操作に基づく前記流量調整部の制御に補正を加えることを特徴とする水栓装置である。  
この水栓装置によれば、流量の補正については、回転操作の有無に応じた流量の補正量により、押し込み操作入力手段の出力に応じた流量を補正し、吐水流量を調整する。そのため、使用者の意図する操作を行うことができ、使用者の使い勝手を向上させることができる。
【０００７】
また、第２の発明は、第１の発明において、前記制御部は、前記回転操作入力手段により前記回転操作が検出されているときには、前記押し込み操作入力手段により検出された前記押し込み操作に基づく流量の変化量を減少させるように前記補正を加えることを特徴とする水栓装置である。  
この水栓装置によれば、回転操作が有ったときには、流量の補正については、吐水流量の変化量を減少させる補正量を設定し、吐水流量を調整する。そのため、使用者が、吐水流量を調整する意図がないにもかかわらず押し込み操作を行った場合でも、この水栓装置は、吐水流量が変化することを抑制することができる。したがって、この水栓装置は、使用者の意図する操作を行うことができ、使用者の使い勝手を向上させることができる。
【０００８】
また、第３の発明は、第１または第２の発明において、前記制御部は、前記回転操作入力手段により検出された前記回転操作の速度が増加するにつれて、前記押し込み操作入力手段により検出された前記押し込み操作に基づく流量の変化量がより小さくなるように前記補正を加えることを特徴とする水栓装置である。  
この水栓装置によれば、使用者が回転操作を速く行った場合には、意図せずに押し込み操作を行ったときの押し込み量は大きくなりやすいが、流量の補正については、回転操作の回転速度に応じて吐水流量の変化量を減少させる補正量を設定し、吐水流量を調整する。そのため、使用者の意図する操作を行うことができ、使用者の使い勝手をさらに向上させることができる。
【０００９】
また、第４の発明は、第１〜第３のいずれか１つの発明において、前記制御部は、前記回転操作入力手段により検出された前記回転操作の方向に応じて、前記押し込み操作入力手段により検出された前記押し込み操作に基づく流量の変化量を減少させるための補正量を決定することを特徴とする水栓装置である。  
この水栓装置によれば、吐水温度を上げようとして回転操作を行った場合において、意図せずに押し込み操作を行った場合でも、流量の補正については、吐水流量の変化量を減少させる補正量を設定し、吐水流量を調整する。そのため、使用者が熱いと感ずるおそれを抑えることができ、安全性をより向上させることができる。
【００１０】
また、第５の発明は、操作体と、前記操作体に対する回転操作を検出する回転操作入力手段と、前記操作体に対する押し込み操作を検出する押し込み操作入力手段と、を有する可動操作部と、吐水の温度を調整する温度調整部と、吐水の流量を調整する流量調整部と、前記回転操作入力手段により検出された前記回転操作に基づいて前記流量調整部を制御し、前記押し込み操作入力手段により検出された前記押し込み操作に基づいて前記温度調整部を制御する制御部と、を備え、前記制御部は、前記回転操作入力手段により前記回転操作が検出されているときには、前記押し込み操作に基づく前記温度調整部の制御に補正を加えることを特徴とする水栓装置である。  
この水栓装置によれば、温度の補正については、回転操作の有無に応じた温度の補正量により、押し込み操作入力手段の出力に応じた温度を補正し、吐水温度を調整する。そのため、使用者の意図する操作を行うことができ、使用者の使い勝手を向上させることができる。
【００１１】
また、第６の発明は、第５の発明において、前記制御部は、前記回転操作入力手段により前記回転操作が検出されているときには、前記押し込み操作入力手段により検出された前記押し込み操作に基づく温度の変化量を減少させるように前記補正を加えることを特徴とする水栓装置である。  
この水栓装置によれば、回転操作が有ったときには、温度の補正については、吐水温度の変化量を減少させる補正量を設定し、吐水温度を調整する。そのため、使用者が、吐水温度を調整する意図がないにもかかわらず押し込み操作を行った場合でも、この水栓装置は、吐水温度が変化することを抑制することができる。したがって、使用者が熱いと感ずるおそれを抑えることができ、安全性をより向上させることができる。また、使用者の意図する操作を行うことができ、使用者の使い勝手を向上させることができる。
【００１２】
また、第７の発明は、第５または第６の発明において、前記制御部は、前記回転操作入力手段により検出された前記回転操作の速度が増加するにつれて、前記押し込み操作入力手段により検出された前記押し込み操作に基づく温度の変化量がより小さくなるように前記補正を加えることを特徴とする水栓装置である。  
この水栓装置によれば、使用者が回転操作を速く行った場合には、意図せずに押し込み操作を行ったときの押し込み量は大きくなりやすいが、温度の補正については、回転操作の回転速度に応じて吐水温度の変化量を減少させる補正量を設定し、吐水温度を調整する。そのため、使用者の意図する操作を行うことができ、使用者の使い勝手をさらに向上させることができる。
【００１３】
また、第８の発明は、第５〜第７のいずれか１つの発明において、前記制御部は、前記回転操作入力手段により検出された前記回転操作の方向に応じて、前記押し込み操作入力手段により検出された前記押し込み操作に基づく温度の変化量を減少させるための補正量を決定することを特徴とする水栓装置である。  
この水栓装置によれば、吐水流量を増加させようとして回転操作を行った場合において、意図せずに押し込み操作を行った場合でも、温度の補正については、吐水温度の変化量を減少させる補正量を設定し、吐水温度を調整する。そのため、使用者が熱いと感ずるおそれを抑えることができ、安全性をより向上させることができる。また、使用者の意図する操作を行うことができ、使用者の使い勝手を向上させることができる。
【発明の効果】
【００１４】
本発明の態様によれば、使用者の意図する操作を行うことができる、あるいは使用者の使い勝手を向上させることができる水栓装置が提供される。
【図面の簡単な説明】
【００１５】
【図１】本発明の第１の実施の形態にかかる水栓装置を例示する斜視模式図である。
【図２】本実施形態にかかる水栓装置の主な構成を例示するブロック図である。
【図３】本実施形態にかかる水栓装置の動作の具体例を例示するフローチャートである。
【図４】本実施形態にかかる水栓装置の動作の具体例を例示するタイムチャートである。
【図５】本実施形態にかかる水栓装置の動作の他の具体例を例示するフローチャートである。
【図６】図６（ａ）は、本実施形態にかかる水栓装置の動作の他の具体例を例示するタイムチャートであり、図６（ｂ）は、ハンドルの回転速度と流量の補正量との関係を例示するグラフ図である。
【図７】本実施形態にかかる水栓装置の動作のさらに他の具体例を例示するフローチャートである。
【図８】図８（ａ）は、本実施形態にかかる水栓装置の動作のさらに他の具体例を例示するタイムチャートであり、図８（ｂ）は、ハンドルの回転方向と流量の補正量との関係を例示するグラフ図である。
【図９】本発明の第２の実施の形態にかかる水栓装置の主な構成を例示するブロック図である。
【図１０】本実施形態にかかる水栓装置の動作の具体例を例示するフローチャートである。
【図１１】本実施形態にかかる水栓装置の動作の具体例を例示するタイムチャートである。
【図１２】本実施形態にかかる水栓装置の動作の他の具体例を例示するフローチャートである。
【図１３】図１３（ａ）は、本実施形態にかかる水栓装置の動作の他の具体例を例示するタイムチャートであり、図１３（ｂ）は、ハンドルの回転速度と温度の補正量との関係を例示するグラフ図である。
【図１４】本実施形態にかかる水栓装置の動作のさらに他の具体例を例示するフローチャートである。
【図１５】図１５（ａ）は、本実施形態にかかる水栓装置の動作のさらに他の具体例を例示するタイムチャートであり、図１５（ｂ）は、ハンドルの回転方向と温度の補正量との関係を例示するグラフ図である。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、本発明の第１の実施の形態にかかる水栓装置を例示する斜視模式図である。  
また、図２は、本実施形態にかかる水栓装置の主な構成を例示するブロック図である。  なお、図２は、本実施形態にかかる水栓装置の主な構成を表すとともに、処理および流れについても表している。
【００１７】
本実施形態にかかる水栓装置は、図１に表したように、可動操作部１００と、制御部２００と、温調ユニット（温度調整部）３１０と、流調ユニット（流量調整部）３２０と、水栓本体３３０と、を備える。可動操作部１００は、例えば洗面所やキッチンなどのカウンター４１０などに設けられる。但し、可動操作部１００は、図１に表したように、水栓本体３３０に設けられてもよい。
【００１８】
可動操作部１００は、図２に表したように、使用者が回転操作や押し込み操作を行うハンドル（操作体）１０１と、ハンドル１０１に対する回転操作を回転検出センサ（図示せず）により検出する回転操作入力手段１１０と、ハンドル１０１に対する押し込み操作を押し込み検出センサ（図示せず）により検出する押し込み操作入力手段１２０と、を有する。そして、回転操作入力手段１１０は、ハンドル１０１の回転操作に関する信号を制御部２００に出力する。また、押し込み操作入力手段１２０は、ハンドル１０１の押し込み操作に関する信号を制御部２００に出力する。
【００１９】
制御部２００は、回転操作入力手段１１０により検出された回転操作に関する信号（出力）から、回転操作の有無や速度や方向などを判断したり、押し込み操作入力手段１２０により検出された押し込み操作に関する信号（出力）から、押し込み操作の有無や移動量などを判断するＣＰＵ（Central Processing Unit）２５０を有する。また、制御部２００は、ＣＰＵ２５０から出力された信号に基づいて温調ユニット３１０および流調ユニット３２０の駆動を制御する駆動手段２６０を有する。この駆動手段２６０は、温調ユニット３１０の駆動を制御する温調駆動手段２６１と、流調ユニット３２０の駆動を制御する流調駆動手段２６３と、を有する。すなわち、制御部２００は、回転操作入力手段１１０により検出された回転操作に基づいて温調ユニット３１０の駆動（動作）を制御したり、押し込み操作入力手段１２０により検出された押し込み操作に基づいて流調ユニット３２０の駆動（動作）を制御できる。
【００２０】
温調ユニット３１０は、温調駆動手段２６１からの出力に基づいて水および湯を混合し、吐水の温度（吐水温度）をハンドル１０１に対する回転操作に基づいた設定温度に保持する。また、流調ユニット３２０は、流調駆動手段２６３からの出力に基づいて駆動し、吐水の流量（吐水流量）をハンドル１０１に対する押し込み操作に基づいた設定流量に保持する。なお、本願明細書において「水」という場合には、冷水のみならず、加熱されたお湯も含むものとする。
【００２１】
以上説明したような主構成や、処理や、その流れにより、本実施形態にかかる水栓装置では、使用者は、図１に表した矢印Ａのように押し込み操作を行うことにより吐水流量を調整できる。一方、使用者は、図１に表した矢印Ｂに表したように回転操作を行うことにより吐水温度を調整できる。なお、使用者がハンドル１０１から手を離すと（押し込み操作を止めると）、そのハンドル１０１は、図示しないばね等の基準位置復帰手段により基準位置まで戻される。また、ハンドル１０１の押し込み操作の移動量が所定最大値に達するまでは、その移動量に応じて吐水流量は増加する。一方、ハンドル１０１の押し込み操作の移動量が所定最大値に達すると、その次の移動量に応じて吐水流量は減少する。
【００２２】
ここで、使用者は、吐水温度を調整しようとしてハンドル１０１を回転操作した場合には、吐水流量を調整する意図がなくともハンドル１０１を押し込む方向に力を加えてしまうことがある。その結果、使用者が意図していないにもかかわらず、吐水流量が変化する場合がある。
【００２３】
これに対して、本実施形態にかかる水栓装置では、制御部２００は、回転操作入力手段１１０により回転操作が検出されているときには、押し込み操作入力手段１２０により検出された押し込み操作に基づく流調ユニット３２０の制御に補正を加える。さらには、制御部２００は、回転操作入力手段１１０により検出された回転操作の速度や方向に応じて、押し込み操作入力手段１２０により検出された押し込み操作に基づく流調ユニット３２０の制御に補正を加える。つまり、回転出力や回転速度や回転方向などの入力に基づいて流量を補正する流量補正手段が設けられ、制御部２００は、流調ユニット３２０の制御を補正している。その結果、制御部２００により補正を加えられた流調ユニット３２０の制御に基づく流量の水で、水栓本体３３０から吐水される。
【００２４】
これによれば、使用者が意図していないにもかかわらず、吐水流量が変化することを抑制することができる。そのため、本実施形態にかかる水栓装置は、使用者の意図する操作を行うことができ、使用者の使い勝手を向上させることができる。以下、本実施形態にかかる水栓装置の動作の具体例について、図面を参照しつつ説明する。
【００２５】
図３は、本実施形態にかかる水栓装置の動作の具体例を例示するフローチャートである。  
また、図４は、本実施形態にかかる水栓装置の動作の具体例を例示するタイムチャートである。
【００２６】
本具体例の動作では、まず、押し込み操作入力手段１２０は、ハンドル１０１の押し込み操作を検出する（ステップＳ１０１）。続いて、回転操作入力手段１１０は、ハンドル１０１の回転操作を検出する（ステップＳ１０２）。続いて、制御部２００は、押し込み操作入力手段１２０により押し込み操作が検出されているか否を判断する（移動出力があるか否かを判断する）（ステップＳ１０３）。なお、本願明細書において、「押し込み操作が検出されている」とは、ハンドル１０１の押し込み操作が行われていることを意味するものとする。
【００２７】
制御部２００は、押し込み操作入力手段１２０により押し込み操作が検出されていると判断した場合には（移動出力があると判断した場合には）（ステップＳ１０３：ＹＥＳ）、回転操作入力手段１１０により回転操作が検出されているか否かを判断する（回転出力があるか否かを判断する）（ステップＳ１０４）。なお、本願明細書において、「回転操作が検出されている」とは、ハンドル１０１の回転操作が行われていることを意味するものとする。
【００２８】
制御部２００は、回転操作入力手段１１０により回転操作が検出されていると判断した場合には（回転出力があると判断した場合には）（ステップＳ１０４：ＹＥＳ）、使用者が意図せずにハンドル１０１を押し込んだおそれがある。そこで、制御部２００は、押し込み操作入力手段１２０により検出された押し込み操作に基づく流調ユニット３２０の制御に補正を加える（ステップＳ１０５）。続いて、制御部２００は、補正を加えた流調ユニット３２０の制御により吐水流量を調整する（ステップＳ１０６）。続いて、制御部２００は、回転操作入力手段１１０により検出された回転操作に基づいて温調ユニット３１０を制御し吐水温度を調整する（ステップＳ１０７）。
【００２９】
一方、ステップＳ１０４において、制御部２００が、回転操作入力手段１１０により回転操作が検出されていないと判断した場合には（回転出力がないと判断した場合には）（ステップＳ１０４：ＮＯ）、使用者が意図せずにハンドル１０１を押し込んだおそれは少ない。そのため、制御部２００は、押し込み操作入力手段１２０により検出された押し込み操作に基づく流調ユニット３２０の制御に補正を加えずに、流調ユニット３２０を制御し吐水流量を調整する（ステップＳ１０８）。
【００３０】
また、ステップＳ１０３において、制御部２００は、押し込み操作入力手段１２０により押し込み操作が検出されていないと判断した場合には（移動出力がないと判断した場合には）（ステップＳ１０３：ＮＯ）、回転操作入力手段１１０により回転操作が検出されているか否かを判断する（回転出力があるか否かを判断する）（ステップＳ１０９）。制御部２００は、回転操作入力手段１１０により回転操作が検出されていると判断した場合には（回転出力があると判断した場合には）（ステップＳ１０９：ＹＥＳ）、ハンドル１０１の回転操作のみが行われたと判断し、回転操作入力手段１１０により検出された回転操作に基づいて温調ユニット３１０を制御し吐水温度を調整する（ステップＳ１１０）。一方、制御部２００は、回転操作入力手段１１０により回転操作が検出されていないと判断した場合には（回転出力がないと判断した場合には）（ステップＳ１０９：ＮＯ）、ハンドル１０１の回転操作および押し込み操作は行われていないと判断し、温調ユニット３１０および流調ユニット３２０の駆動状態を変更することなく終了する。
【００３１】
本具体例の動作について、図４に表したタイムチャートを参照しつつ、さらに詳細に説明する。  
まず、吐水流量がない状態、すなわち水栓本体３３０から水が吐水されていない状態において、使用者がハンドル１０１の押し込み操作を行うと、その押し込み操作の移動量に応じた流量の水が水栓本体３３０から吐水される（時間ｔ１）。続いて、使用者が押し込み操作を止めると、ハンドル１０１は基準位置に戻され、吐水流量は一定に保持される（時間ｔ２）。続いて、使用者がハンドル１０１の押し込み操作を再度行うと、その押し込み操作の移動量に応じて吐水流量が増加する（時間ｔ３）。そして、例えば、使用者がハンドル１０１を押し込んだまま停止させ（時間ｔ４）、その後押し込み操作を止めると（手を離すと）（時間ｔ５）、吐水流量は一定に保持される。
【００３２】
続いて、使用者がハンドル１０１の回転操作を始めると（時間ｔ６〜ｔ７）、吐水流量を調整する意図がないにもかかわらず、ハンドル１０１の押し込み操作を行ってしまう場合がある（時間ｔ７）。この場合、流調ユニット３２０の制御に補正を加えないと、図４に表した破線５０１のように、押し込み操作の移動量に応じて吐水流量は増加する。そうすると、使用者は、意図する操作を行うことができず、不便性を感ずるおそれがある。
【００３３】
これに対して、本具体例の水栓装置は、図３に関して前述した動作を行うことにより、図４に表した斜線領域５０３のいずれかに吐水流量を補正し調整できる。すなわち、本具体例の水栓装置は、押し込み操作入力手段１２０により押し込み操作が検出されている場合であって、回転操作入力手段１１０により回転操作が検出されているときには、吐水流量の変化量を減少させるように流調ユニット３２０の制御に補正を加える。さらには、本具体例の水栓装置は、図４に表した実線５０５のように、押し込み操作入力手段１２０により検出された押し込み操作を無視する、すなわち吐水流量を変化させないように流調ユニット３２０の制御に補正を加えることもできる。
【００３４】
続いて、使用者がハンドル１０１の回転操作を行っている間（時間ｔ８〜ｔ１０）、一定の押し込み操作になるとは限らない。例えば、押し込み操作の移動量が徐々に減少する場合（時間ｔ８）や、押し込み操作の移動量が徐々に増加する場合（時間ｔ９〜ｔ１０）もある。また回転操作を止めると（時間ｔ１１）、押し込み操作の移動量は徐々に減少する。この場合であっても、前述したように、本具体例の水栓装置は、押し込み操作入力手段１２０により押し込み操作が検出されている場合であって、回転操作入力手段１１０により回転操作が検出されているときには、吐水流量の変化量を減少させるように流調ユニット３２０の制御に補正を加える。
【００３５】
続いて、使用者がハンドル１０１の回転操作および押し込み操作を行わない場合には、吐水流量は一定に保持される（時間ｔ１２）。そして、使用者がハンドル１０１の押し込み操作を所定最大値まで行うと、吐水流量は最大となる（時間ｔ１３）。
【００３６】
以上説明したように、本具体例の動作によれば、押し込み操作入力手段１２０により押し込み操作が検出されている場合であって、回転操作入力手段１１０により回転操作が検出されているときには、吐水流量の変化量を減少させるように流調ユニット３２０の制御に補正を加える。これにより、使用者の意図する操作を行うことができ、使用者の使い勝手を向上させることができる。
【００３７】
図５は、本実施形態にかかる水栓装置の動作の他の具体例を例示するフローチャートである。  
また、図６（ａ）は、本実施形態にかかる水栓装置の動作の他の具体例を例示するタイムチャートであり、図６（ｂ）は、ハンドルの回転速度と流量の補正量との関係を例示するグラフ図である。  
なお、図６（ａ）に表した時間ｔ１〜ｔ１３は、図４に表した時間ｔ１〜ｔ１３にそれぞれ対応する。
【００３８】
使用者が、吐水温度を調整しようとしてハンドル１０１を回転操作した場合において、意図せずにハンドル１０１の押し込み操作を行ってしまう移動量（押し込み量）は、ハンドル１０１の回転操作の速度により異なる場合がある。例えば、使用者がハンドル１０１の回転操作を速く行った場合には、ハンドル１０１の押し込み量は大きくなりやすい。そこで、本具体例の動作では、制御部２００は、ハンドル１０１の回転操作の速度に応じて、流調ユニット３２０の制御に補正を加えることができる。すなわち、制御部２００は、回転操作入力手段１１０により検出された回転操作の速度が増加するにつれて、押し込み操作入力手段１２０により検出された押し込み操作に基づく流量の変化量がより小さくなるように、流調ユニット３２０の制御に補正を加えることができる。本具体例の動作について、まず図５に表したフローチャートを参照しつつ説明する。
【００３９】
ステップＳ２０１、Ｓ２０２、Ｓ２０３、Ｓ２０４の動作については、図３に関して説明したステップＳ１０１、Ｓ１０２、Ｓ１０３、Ｓ１０４の動作とそれぞれ同様である。続いて、制御部２００は、回転操作入力手段１１０により回転操作が検出されていると判断した場合には（回転出力があると判断した場合には）（ステップＳ２０４：ＹＥＳ）、回転操作入力手段１１０により検出された回転操作の速度を処理する（ステップＳ２０５）。そして、制御部２００は、押し込み操作入力手段１２０により検出された押し込み操作に基づく流調ユニット３２０の制御に補正を加える（ステップＳ２０６）。
【００４０】
このとき、制御部２００は、図６（ｂ）に表したように、回転操作入力手段１１０により検出された回転操作の速度が増加するにつれて、より大きな補正量を設定する。すなわち、制御部２００は、回転操作入力手段１１０により検出された回転操作の速度が増加するにつれて、押し込み操作入力手段１２０により検出された押し込み操作に基づく流量の変化量がより小さくなるような補正量を設定する。その結果、制御部２００は、回転操作入力手段１１０により検出された回転操作の速度が増加するにつれて、押し込み操作入力手段１２０により検出された押し込み操作に基づく流量の変化量がより小さくなるように、流調ユニット３２０の制御に補正を加えることができる（ステップＳ２０７）。
【００４１】
その他のステップＳ２０８、Ｓ２０９、Ｓ２１０、Ｓ２１１の動作については、図３に関して説明したステップＳ１０７、Ｓ１０８、Ｓ１０９、Ｓ１１０の動作とそれぞれ同様である。
【００４２】
本具体例の動作について、図６（ａ）に表したタイムチャートを参照しつつ、さらに詳細に説明する。  
本具体例では、使用者がハンドル１０１の回転操作を始めたとき（時間ｔ６〜ｔ７）、あるいはハンドル１０１の回転操作を行っている間（時間ｔ８〜ｔ１０）、あるいは回転操作を止めたとき（時間ｔ１１）、押し込み操作入力手段１２０により押し込み操作が検出されている場合には、制御部２００は、ハンドル１０１の回転操作の速度に応じて、流調ユニット３２０の制御に補正を加えることができる。すなわち、前述したように、制御部２００は、回転操作入力手段１１０により検出された回転操作の速度が増加するにつれて、押し込み操作入力手段１２０により検出された押し込み操作に基づく流量の変化量がより小さくなるように、流調ユニット３２０の制御に補正を加えることができる。
【００４３】
これによれば、流調ユニット３２０の制御に補正を加えないと、図６（ａ）に表した破線５０１のように、押し込み操作の移動量に応じて吐水流量は増加する。これに対して、図５に関して前述した動作を行うことにより、ハンドル１０１の回転操作の速度がより遅い場合には、図６（ａ）に表した斜線領域５１３のいずれかに吐水流量を補正し調整することができる。また、ハンドル１０１の回転操作の速度がより速い場合には、図６（ａ）に表した点領域５１４のいずれかに吐水流量を補正し調整することができる。なお、その他の動作については、図４に関して前述したタイムチャートにおける動作と同様である。
【００４４】
本具体例によれば、ハンドル１０１の回転操作の速度に応じて流調ユニット３２０の制御に補正を加えるため、使用者の意図する操作を行うことができ、使用者の使い勝手をさらに向上させることができる。また、その他の効果についても、図３および図４に関して前述した効果と同様の効果を得ることができる。
【００４５】
図７は、本実施形態にかかる水栓装置の動作のさらに他の具体例を例示するフローチャートである。  
また、図８（ａ）は、本実施形態にかかる水栓装置の動作のさらに他の具体例を例示するタイムチャートであり、図８（ｂ）は、ハンドルの回転方向と流量の補正量との関係を例示するグラフ図である。  
なお、図８（ａ）に表した時間ｔ１〜ｔ１３は、図４に表した時間ｔ１〜ｔ１３にそれぞれ対応する。
【００４６】
使用者が、吐水温度を上げようとしてハンドル１０１を回転操作した場合において、意図せずにハンドル１０１の押し込み操作を行ってしまうと、より高温の水であってより多量の水が使用者の手などにかかる場合がある。そうすると、使用者は、その水を熱いと感じ、不快感を感じる場合がある。そこで、本具体例の動作では、制御部２００は、ハンドル１０１の回転操作の方向に応じて、流調ユニット３２０の制御に補正を加えることができる。すなわち、制御部２００は、回転操作入力手段１１０により検出された回転操作の方向が高温に設定される方向である場合には、押し込み操作入力手段１２０により検出された押し込み操作に基づく流量の変化量がより小さくなるように、流調ユニット３２０の制御に補正を加えることができる。
【００４７】
なお、本具体例では、ハンドル１０１の回転軸に略沿うようにハンドル１０１の操作面（使用者が操作する側の表面）を見たときに、ハンドル１０１を時計回りに回転操作すると吐水温度が上昇し、ハンドル１０１を反時計回りに回転操作すると吐水温度が低下する場合を例に挙げて説明する。但し、ハンドル１０１の回転操作の方向と、吐水温度の上昇および低下の方向と、の関係はこれだけに限定されるわけではない。
【００４８】
ステップＳ３０１、Ｓ３０２、Ｓ３０３、Ｓ３０４の動作については、図３に関して説明したステップＳ１０１、Ｓ１０２、Ｓ１０３、Ｓ１０４の動作とそれぞれ同様である。続いて、制御部２００は、回転操作入力手段１１０により回転操作が検出されていると判断した場合には（回転出力があると判断した場合には）（ステップＳ３０４：ＹＥＳ）、回転操作入力手段１１０により検出された回転操作の方向を処理する（ステップＳ３０５）。そして、制御部２００は、押し込み操作入力手段１２０により検出された押し込み操作に基づく流調ユニット３２０の制御に補正を加える（ステップＳ３０６）。
【００４９】
このとき、制御部２００は、図８（ｂ）に表したように、ハンドル１０１の回転操作の方向が時計回りである場合には、より大きな補正量を設定する。すなわち、制御部２００は、回転操作入力手段１１０により検出された回転操作の方向が高温に設定される方向である場合には、押し込み操作入力手段１２０により検出された押し込み操作に基づく流量の変化量がより小さくなるような補正量を設定する。その結果、制御部２００は、回転操作入力手段１１０により検出された回転操作の方向が高温に設定される方向である場合には、押し込み操作入力手段１２０により検出された押し込み操作に基づく流量の変化量がより小さくなるように、流調ユニット３２０の制御に補正を加えることができる（ステップＳ３０７）。
【００５０】
その他のステップＳ３０８、Ｓ３０９、Ｓ３１０、Ｓ３１１の動作については、図３に関して説明したステップＳ１０７、Ｓ１０８、Ｓ１０９、Ｓ１１０の動作とそれぞれ同様である。
【００５１】
本具体例の動作について、図８に表したタイムチャートを参照しつつ、さらに詳細に説明する。  
本具体例では、使用者がハンドル１０１の回転操作を始めたとき（時間ｔ６〜ｔ７）、あるいはハンドル１０１の回転操作を行っている間（時間ｔ８〜ｔ１０）、あるいは回転操作を止めたとき（時間ｔ１１）、押し込み操作入力手段１２０により押し込み操作が検出されている場合には、制御部２００は、ハンドル１０１の回転操作の方向に応じて、流調ユニット３２０の制御に補正を加えることができる。すなわち、前述したように、制御部２００は、回転操作入力手段１１０により検出された回転操作の方向が高温に設定される方向である場合には、押し込み操作入力手段１２０により検出された押し込み操作に基づく流量の変化量がより小さくなるように、流調ユニット３２０の制御に補正を加えることができる。
【００５２】
これによれば、流調ユニット３２０の制御に補正を加えないと、図８（ａ）に表した破線５０１のように、押し込み操作の移動量に応じて吐水流量は増加する。これに対して、図７に関して前述した動作を行うことにより、ハンドル１０１の回転操作の方向が反時計回り（低温に設定される方向）である場合には、図８（ａ）に表した斜線領域５２３のいずれかに吐水流量を補正し調整することができる。また、ハンドル１０１の回転方向が時計回り（高温に設定される方向）である場合には、図８（ａ）に表した点領域５２４のいずれかに吐水流量を補正し調整することができる。なお、その他の動作については、図４に関して前述したタイムチャートにおける動作と同様である。
【００５３】
本具体例によれば、吐水温度を上げようとしてハンドル１０１を回転操作した場合において、意図せずにハンドル１０１の押し込み操作を行った場合であっても、吐水流量の変化量をより減少させるように流調ユニット３２０の制御に補正を加える。そのため、より安全性を向上させることができる。また、その他の効果についても、図３および図４に関して前述した効果と同様の効果を得ることができる。
【００５４】
なお、本実施形態では、ハンドル１０１の回転操作の有無に応じて吐水流量の変化量を減少させるように流調ユニット３２０の制御に補正を加える具体例（図３および図４参照）と、ハンドル１０１の回転操作の速度に応じて吐水流量の変化量を減少させるように流調ユニット３２０の制御に補正を加える具体例（図５および図６参照）と、ハンドル１０１の回転操作の方向に応じて吐水流量の変化量を減少させるように流調ユニット３２０の制御に補正を加える具体例（図７および図８）と、を例に挙げて説明したが、これらの具体例を適宜組み合わせてもよい。これによれば、使用者の使い勝手をさらに向上させることができる。
【００５５】
次に、本発明の第２の実施の形態について説明する。  
図９は、本発明の第２の実施の形態にかかる水栓装置の主な構成を例示するブロック図である。  
なお、本実施形態にかかる水栓装置の構造や外観や設置形態については、図１に表した水栓装置の構造や外観や設置形態と同様である。また、図９は、図２に表したブロック図と同様に、本実施形態にかかる水栓装置の主な構成を表すとともに、処理および流れについても表している。
【００５６】
本実施形態にかかる水栓装置では、使用者は、図１に表した矢印Ａのように押し込み操作を行うことにより吐水温度を調整できる。一方、使用者は、図１に表した矢印Ｂに表したように回転操作を行うことにより吐水流量を調整できる。すなわち、本実施形態にかかる水栓装置では、押し込み操作および回転操作により調整できる吐水状態（吐水流量および吐水温度）が、図１〜図８に関して前述した第１の実施の形態にかかる水栓装置とは入れ替えられている。
【００５７】
そこで、制御部２００は、回転操作入力手段１１０により検出された回転操作に関する信号（出力）から、流調ユニット３２０の駆動（動作）を制御したり、押し込み操作入力手段１２０により検出された押し込み操作に関する信号（出力）から、温調ユニット３１０の駆動（動作）を制御できる。その他の主構成や、処理や、その流れについては、図２に関して前述した主構成、処理、および流れと同様である。なお、ハンドル１０１の押し込み操作の移動量が所定最大値に達するまでは、その移動量に応じて吐水温度は増加する。一方、ハンドル１０１の押し込み操作の移動量が所定最大値に達すると、その次の移動量に応じて吐水温度は減少する。
【００５８】
ここで、使用者は、吐水流量を調整しようとしてハンドル１０１を回転操作した場合には、吐水温度を調整する意図がなくともハンドル１０１を押し込む方向に力を加えてしまうことがある。その結果、使用者が意図していないにもかかわらず、吐水温度が変化する場合がある。
【００５９】
これに対して、本実施形態にかかる水栓装置では、制御部２００は、回転操作入力手段１１０により回転操作が検出されているときには、押し込み操作入力手段１２０により検出された押し込み操作に基づく温調ユニット３１０の制御に補正を加える。さらには、制御部２００は、回転操作入力手段１１０により検出された回転操作の速度や方向に応じて、押し込み操作入力手段１２０により検出された押し込み操作に基づく温調ユニット３１０の制御に補正を加える。つまり、回転出力や回転速度や回転方向などの入力に基づいて温度を補正する温度補正手段が設けられ、制御部２００は、温調ユニット３１０の制御を補正している。その結果、制御部２００により補正を加えられた温調ユニット３１０の制御に基づく温度の水で、水栓本体３３０から吐水される。
【００６０】
これによれば、使用者が意図していないにもかかわらず、吐水温度が変化することを抑制することができる。さらに、使用者が意図してしないにもかかわらず、吐水温度が上昇することで、使用者が水栓本体３３０からの吐水を熱いと感じたり、不快感を感じることを抑制することができる。そのため、本実施形態にかかる水栓装置は、使用者の意図する操作を行うことができ、使用者の使い勝手を向上させることができる。以下、本実施形態にかかる水栓装置の動作の具体例について、図面を参照しつつ説明する。
【００６１】
図１０は、本実施形態にかかる水栓装置の動作の具体例を例示するフローチャートである。  
また、図１１は、本実施形態にかかる水栓装置の動作の具体例を例示するタイムチャートである。
【００６２】
ステップＳ４０１、Ｓ４０２、Ｓ４０３、Ｓ４０４の動作については、図３に関して説明したステップＳ１０１、Ｓ１０２、Ｓ１０３、Ｓ１０４の動作とそれぞれ同様である。続いて、回転操作入力手段１１０により回転操作が検出されていると判断した場合には（回転出力があると判断した場合には）（ステップＳ４０４：ＹＥＳ）、使用者が意図せずにハンドル１０１を押し込んだおそれがある。そこで、制御部２００は、押し込み操作入力手段１２０により検出された押し込み操作に基づく温調ユニット３１０の制御に補正を加える（ステップＳ４０５）。続いて、制御部２００は、補正を加えた温調ユニット３１０の制御により吐水温度を調整する（ステップＳ４０６）。続いて、制御部２００は、回転操作入力手段１１０により検出された回転操作に基づいて流調ユニット３２０を制御し吐水流量を調整する（ステップＳ４０７）。
【００６３】
一方、ステップＳ４０４において、制御部２００が、回転操作入力手段１１０により回転操作が検出されていないと判断した場合には（回転出力がないと判断した場合には）（ステップＳ４０４：ＮＯ）、使用者が意図せずにハンドル１０１を押し込んだおそれは少ない。そのため、制御部２００は、押し込み操作入力手段１２０により検出された押し込み操作に基づく温調ユニット３１０の制御に補正を加えずに、温調ユニット３１０を制御し吐水温度を調整する（ステップＳ４０８）。
【００６４】
また、ステップＳ４０３において、制御部２００は、押し込み操作入力手段１２０により押し込み操作が検出されていないと判断した場合には（移動出力がないと判断した場合には）（ステップＳ４０３：ＮＯ）、回転操作入力手段１１０により回転操作が検出されているか否かを判断する（回転出力があるか否かを判断する）（ステップＳ４０９）。制御部２００は、回転操作入力手段１１０により回転操作が検出されていると判断した場合には（回転出力があると判断した場合には）（ステップＳ４０９：ＹＥＳ）、ハンドル１０１の回転操作のみが行われたと判断し、回転操作入力手段１１０により検出された回転操作に基づいて流調ユニット３２０を制御し吐水流量を調整する（ステップＳ４１０）。一方、制御部２００は、回転操作入力手段１１０により回転操作が検出されていないと判断した場合には（回転出力がないと判断した場合には）（ステップＳ４０９：ＮＯ）、ハンドル１０１の回転操作および押し込み操作は行われていないと判断し、温調ユニット３１０および流調ユニット３２０の駆動状態を変更することなく終了する。
【００６５】
本具体例の動作について、図１１に表したタイムチャートを参照しつつ、さらに詳細に説明する。  
まず、吐水温度が低い状態において、使用者がハンドル１０１の押し込み操作を行うと、その押し込み操作の移動量に応じて吐水温度が上昇する（時間ｔ１）。続いて、使用者が押し込み操作を止めると、ハンドル１０１は基準位置に戻され、吐水温度は一定に保持される（時間ｔ２）。続いて、使用者がハンドル１０１の押し込み操作を再度行うと、その押し込み操作の移動量に応じて吐水温度が上昇する（時間ｔ３）。そして、例えば、使用者がハンドル１０１を押し込んだまま停止させ（時間ｔ４）、その後押し込み操作を止めると（手を離すと）（時間ｔ５）、吐水温度は一定に保持される。
【００６６】
続いて、使用者がハンドル１０１の回転操作を始めると（時間ｔ６〜ｔ７）、吐水温度を調整する意図がないにもかかわらず、ハンドル１０１の押し込み操作を行ってしまう場合がある（時間ｔ７）。この場合、温調ユニット３１０の制御に補正を加えないと、図１１に表した破線５５１のように、押し込み操作の移動量に応じて吐水温度は上昇する。そうすると、使用者は、意図していないにもかかわらず吐水温度が上昇することにより、水栓本体３３０からの吐水を熱いと感じたり、不快感を感じるおそれがある。
【００６７】
これに対して、本具体例の水栓装置は、図１０に関して前述した動作を行うことにより、図１１に表した斜線領域５５３のいずれかに吐水温度を補正し調整できる。すなわち、本具体例の水栓装置は、押し込み操作入力手段１２０により押し込み操作が検出されている場合であって、回転操作入力手段１１０により回転操作が検出されているときには、吐水温度の変化量を減少させるように温調ユニット３１０の制御に補正を加える。さらには、本具体例の水栓装置は、図４に表した実線５５５のように、押し込み操作入力手段１２０により検出された押し込み操作を無視する、すなわち吐水温度を変化させないように温調ユニット３１０の制御に補正を加えることもできる。
【００６８】
続いて、使用者がハンドル１０１の回転操作を行っている間（時間ｔ８〜ｔ１０）、一定の押し込み操作になるとは限らない。例えば、押し込み操作の移動量が徐々に減少する場合（時間ｔ８）や、押し込み操作の移動量が徐々に増加する場合（時間ｔ９〜ｔ１０）もある。また回転操作を止めると（時間ｔ１１）、押し込み操作の移動量は徐々に減少する。この場合であっても、前述したように、本具体例の水栓装置は、押し込み操作入力手段１２０により押し込み操作が検出されている場合であって、回転操作入力手段１１０により回転操作が検出されているときには、吐水温度の変化量を減少させるように温調ユニット３１０の制御に補正を加える。
【００６９】
続いて、使用者がハンドル１０１の回転操作および押し込み操作を行わない場合には、吐水温度は一定に保持される（時間ｔ１２）。そして、使用者がハンドル１０１の押し込み操作を所定最大値まで行うと、吐水温度は最大となる（時間ｔ１３）。
【００７０】
以上説明したように、本具体例の動作によれば、押し込み操作入力手段１２０により押し込み操作が検出されている場合であって、回転操作入力手段１１０により回転操作が検出されているときには、吐水温度の変化量を減少させるように温調ユニット３１０の制御に補正を加える。これにより、使用者が意図してしないにもかかわらず、吐水温度が上昇することで、使用者が水栓本体３３０からの吐水を熱いと感じたり、不快感を感じることを抑制することができる。そのため、使用者の意図する操作を行うことができ、使用者の使い勝手を向上させることができる。
【００７１】
図１２は、本実施形態にかかる水栓装置の動作の他の具体例を例示するフローチャートである。  
また、図１３（ａ）は、本実施形態にかかる水栓装置の動作の他の具体例を例示するタイムチャートであり、図１３（ｂ）は、ハンドルの回転速度と温度の補正量との関係を例示するグラフ図である。  
なお、図１３（ａ）に表した時間ｔ１〜ｔ１３は、図１１に表した時間ｔ１〜ｔ１３にそれぞれ対応する。
【００７２】
本具体例では、図５および図６に関して前述した具体例の動作と同様に、制御部２００は、ハンドル１０１の回転操作の速度に応じて、温調ユニット３１０の制御に補正を加えることができる。すなわち、制御部２００は、回転操作入力手段１１０により検出された回転操作の速度が増加するにつれて、押し込み操作入力手段１２０により検出された押し込み操作に基づく温度の変化量がより小さくなるように、温調ユニット３１０の制御に補正を加えることができる。本具体例の動作について、まず図１２に表したフローチャートを参照しつつ説明する。
【００７３】
ステップＳ５０１、Ｓ５０２、Ｓ５０３、Ｓ５０４の動作については、図１０に関して説明したステップＳ４０１、Ｓ４０２、Ｓ４０３、Ｓ４０４の動作とそれぞれ同様である。続いて、制御部２００は、回転操作入力手段１１０により回転操作が検出されていると判断した場合には（回転出力があると判断した場合には）（ステップＳ５０４：ＹＥＳ）、回転操作入力手段１１０により検出された回転操作の速度を処理する（ステップＳ５０５）。そして、制御部２００は、押し込み操作入力手段１２０により検出された押し込み操作に基づく温調ユニット３１０の制御に補正を加える（ステップＳ５０６）。
【００７４】
このとき、制御部２００は、図１３（ｂ）に表したように、回転操作入力手段１１０により検出された回転操作の速度が増加するにつれて、より大きな補正量を設定する。すなわち、制御部２００は、回転操作入力手段１１０により検出された回転操作の速度が増加するにつれて、押し込み操作入力手段１２０により検出された押し込み操作に基づく温度の変化量がより小さくなるような補正量を設定する。その結果、制御部２００は、回転操作入力手段１１０により検出された回転操作の速度が増加するにつれて、押し込み操作入力手段１２０により検出された押し込み操作に基づく温度の変化量がより小さくなるように、温調ユニット３１０の制御に補正を加えることができる（ステップＳ５０７）。
【００７５】
その他のステップＳ５０８、Ｓ５０９、Ｓ５１０、Ｓ５１１の動作については、図１０に関して説明したステップＳ４０７、Ｓ４０８、Ｓ４０９、Ｓ４１０の動作とそれぞれ同様である。
【００７６】
本具体例の動作について、図１３（ａ）に表したタイムチャートを参照しつつ、さらに詳細に説明する。  
本具体例では、使用者がハンドル１０１の回転操作を始めたとき（時間ｔ６〜ｔ７）、あるいはハンドル１０１の回転操作を行っている間（時間ｔ８〜ｔ１０）、あるいは回転操作を止めたとき（時間ｔ１１）、押し込み操作入力手段１２０により押し込み操作が検出されている場合には、制御部２００は、ハンドル１０１の回転操作の速度に応じて、温調ユニット３１０の制御に補正を加えることができる。すなわち、前述したように、制御部２００は、回転操作入力手段１１０により検出された回転操作の速度が増加するにつれて、押し込み操作入力手段１２０により検出された押し込み操作に基づく温度の変化量がより小さくなるように、温調ユニット３１０の制御に補正を加えることができる。
【００７７】
これによれば、温調ユニット３１０の制御に補正を加えないと、図１３（ａ）に表した破線５５１のように、押し込み操作の移動量に応じて吐水温度は増加する。これに対して、図１２に関して前述した動作を行うことにより、ハンドル１０１の回転速度がより遅い場合には、図１３（ａ）に表した斜線領域５６３のいずれかに吐水温度を補正し調整することができる。また、ハンドル１０１の回転速度がより速い場合には、図１３（ａ）に表した点領域５６４のいずれかに吐水温度を補正し調整することができる。なお、その他の動作については、図１１に関して前述したタイムチャートにおける動作と同様である。
【００７８】
本具体例によれば、ハンドル１０１の回転操作の速度に応じて温調ユニット３１０の制御に補正を加えるため、使用者の意図する操作を行うことができ、使用者の使い勝手をさらに向上させることができる。また、その他の効果についても、図１０および図１１に関して前述した効果と同様の効果を得ることができる。
【００７９】
図１４は、本実施形態にかかる水栓装置の動作のさらに他の具体例を例示するフローチャートである。  
また、図１５（ａ）は、本実施形態にかかる水栓装置の動作のさらに他の具体例を例示するタイムチャートであり、図１５（ｂ）は、ハンドルの回転方向と温度の補正量との関係を例示するグラフ図である。  
なお、図１５（ａ）に表した時間ｔ１〜ｔ１３は、図１１に表した時間ｔ１〜ｔ１３にそれぞれ対応する。
【００８０】
本具体例では、図７および図８に関して前述した具体例の動作と同様に、制御部２００は、ハンドル１０１の回転操作の方向に応じて、温調ユニット３１０の制御に補正を加えることができる。すなわち、制御部２００は、回転操作入力手段１１０により検出された回転操作の方向が吐水流量を増加させる方向である場合には、押し込み操作入力手段１２０により検出された押し込み操作に基づく温度の変化量がより小さくなるように、温調ユニット３１０の制御に補正を加えることができる。
【００８１】
なお、本具体例では、ハンドル１０１の回転軸に略沿うようにハンドル１０１の操作面（使用者が操作する側の表面）を見たときに、ハンドル１０１を時計回りに回転操作すると吐水流量が増加し、ハンドル１０１を反時計回りに回転操作すると吐水流量が減少する場合を例に挙げて説明する。但し、ハンドル１０１の回転操作の方向と、吐水流量の増加および減少の方向と、の関係はこれだけに限定されるわけではない。
【００８２】
ステップＳ６０１、Ｓ６０２、Ｓ６０３、Ｓ６０４の動作については、図１０に関して説明したステップＳ１０１、Ｓ１０２、Ｓ１０３、Ｓ１０４の動作とそれぞれ同様である。続いて、制御部２００は、回転操作入力手段１１０により回転操作が検出されていると判断した場合には（回転出力があると判断した場合には）（ステップＳ６０４：ＹＥＳ）、回転操作入力手段１１０により検出された回転操作の方向を処理する（ステップＳ６０５）。そして、制御部２００は、押し込み操作入力手段１２０により検出された押し込み操作に基づく温調ユニット３１０の制御に補正を加える（ステップＳ６０６）。
【００８３】
このとき、制御部２００は、図１５（ｂ）に表したように、ハンドル１０１の回転操作の方向が時計回りである場合には、より大きな補正量を設定する。すなわち、制御部２００は、回転操作入力手段１１０により検出された回転操作の方向が吐水流量を増加させる方向である場合には、押し込み操作入力手段１２０により検出された押し込み操作に基づく温度の変化量がより小さくなるような補正量を設定する。その結果、制御部２００は、回転操作入力手段１１０により検出された回転操作の方向が吐水流量を増加させる方向である場合には、押し込み操作入力手段１２０により検出された押し込み操作に基づく温度の変化量がより小さくなるように、温調ユニット３１０の制御に補正を加えることができる（ステップＳ６０７）。
【００８４】
その他のステップＳ６０８、Ｓ６０９、Ｓ６１０、Ｓ６１１の動作については、図１０に関して説明したステップＳ１０７、Ｓ１０８、Ｓ１０９、Ｓ１１０の動作とそれぞれ同様である。
【００８５】
本具体例の動作について、図１５に表したタイムチャートを参照しつつ、さらに詳細に説明する。  
本具体例では、使用者がハンドル１０１の回転操作を始めたとき（時間ｔ６〜ｔ７）、あるいはハンドル１０１の回転操作を行っている間（時間ｔ８〜ｔ１０）、あるいは回転操作を止めたとき（時間ｔ１１）、押し込み操作入力手段１２０により押し込み操作が検出されている場合には、制御部２００は、ハンドル１０１の回転操作の方向に応じて、温調ユニット３１０の制御に補正を加えることができる。すなわち、前述したように、制御部２００は、回転操作入力手段１１０により検出された回転操作の方向が吐水流量を増加させる方向である場合には、押し込み操作入力手段１２０により検出された押し込み操作に基づく温度の変化量がより小さくなるように、温調ユニット３１０の制御に補正を加えることができる。
【００８６】
これによれば、温調ユニット３１０の制御に補正を加えないと、図１５（ａ）に表した破線５５１のように、押し込み操作の移動量に応じて吐水温度は増加する。これに対して、図１４に関して前述した動作を行うことにより、ハンドル１０１の回転方向が反時計回り（吐水流量を減少させる方向）である場合には、図１５（ａ）に表した斜線領域５７３のいずれかに吐水温度を補正し調整することができる。また、ハンドル１０１の回転方向が時計回り（吐水流量を増加させる方向）である場合には、図１５（ａ）に表した点領域５７４のいずれかに吐水温度を補正し調整することができる。なお、その他の動作については、図１１に関して前述したタイムチャートにおける動作と同様である。
【００８７】
本具体例によれば、吐水流量を増加させようとしてハンドル１０１を回転操作した場合において、意図せずにハンドル１０１の押し込み操作を行った場合であっても、吐水温度の変化量をより減少させる補正を行うことができる。そのため、より安全性を向上させることができる。また、その他の効果についても、図１０および図１１に関して前述した効果と同様の効果を得ることができる。
【００８８】
なお、本実施形態では、ハンドル１０１の回転操作の有無に応じて吐水温度の変化量を減少させるように温調ユニット３１０の制御に補正を加える具体例（図１０および図１１参照）と、ハンドル１０１の回転操作の速度に応じて吐水温度の変化量を減少させるように温調ユニット３１０の制御に補正を加える具体例（図１２および図１３参照）と、ハンドル１０１の回転操作の方向に応じて吐水温度の変化量を減少させるように温調ユニット３１０の制御に補正を加える具体例（図１４および図１５）と、を例に挙げて説明したが、これらの具体例を適宜組み合わせてもよい。これによれば、使用者の使い勝手をより向上させることができる。
【００８９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、可動操作部１００や温調ユニット３１０や流調ユニット３２０などが備える各要素の形状、寸法、材質、配置などや水栓本体３３０およびハンドル１０１の設置形態などは、例示したものに限定されるわけではなく適宜変更することができる。
【００９０】
また、本発明の実施の形態においては、ハンドル１０１の押し込み操作により、吐水流量や吐水温度を連続的あるいは多値の設定値として変化させる場合を例に挙げて説明したが（図４、図６、図８、図１１、図１３、図１５参照）、これだけに限定されるわけではない。例えば、ハンドル１０１の押し込み操作により、吐水流量を「多量」および「少量」の二値として、あるいは吐水温度を「高温」および「低温」の二値として変化させてもよい。吐水流量を「多量」および「少量」の二値とした場合には、押し込み操作入力手段１２０により押し込み操作が検出されている場合であって、回転操作入力手段１１０により回転操作が検出されているときには、押し込み操作入力手段１２０により検出された押し込み操作を無視する、すなわち吐水流量を変化させないように流調ユニット３２０の制御に補正を加える。一方、吐水温度を「高温」および「低温」の二値とした場合には、押し込み操作入力手段１２０により押し込み操作が検出されている場合であって、回転操作入力手段１１０により回転操作が検出されているときには、押し込み操作入力手段１２０により検出された押し込み操作を無視する、すなわち吐水温度を変化させないように温調ユニット３１０の制御に補正を加える。
【００９１】
また、前述した各実施の形態が備える各要素は、技術的に可能な限りにおいて組み合わせることができ、これらを組み合わせたものも本発明の特徴を含む限り本発明の範囲に包含される。
【符号の説明】
【００９２】
１００ 可動操作部、  １０１ ハンドル、  １１０ 回転操作入力手段、  １２０ 押し込み操作入力手段、  ２００ 制御部、  ２５０ ＣＰＵ、  ２６０ 駆動手段、  ２６１ 温調駆動手段、  ２６３ 流調駆動手段、  ３１０ 温調ユニット、  ３２０ 流調ユニット、  ３３０ 水栓本体、  ４１０ カウンター
【図１】
2010203104.tif 000003
【図２】
2010203104.tif 000004
【図３】
2010203104.tif 000005
【図４】
2010203104.tif 000006
【図５】
2010203104.tif 000007
【図６】
2010203104.tif 000008
【図７】
2010203104.tif 000009
【図８】
2010203104.tif 000010
【図９】
2010203104.tif 000011
【図１０】
2010203104.tif 000012
【図１１】
2010203104.tif 000013
【図１２】
2010203104.tif 000014
【図１３】
2010203104.tif 000015
【図１４】
2010203104.tif 000016
【図１５】
2010203104.tif 000017